(57)【特許請求の範囲】
【請求項１】
室内機に設けられた人感センサにより人の在否を検知して運転を制御する空気調和機であって、
複数の物理メモリを含んだ記憶部を有する制御部を備え、
制御部は、空調すべき領域を複数の領域に区分した領域ごとに、人感センサの反応結果に基づく人の所在頻度情報を算出し、所在頻度情報を時間帯区分によって記憶部の異なる物理メモリにそれぞれ記憶し、時間帯区分に応じた所在頻度情報を利用して風向を制御し、
記憶部は、複数の物理メモリとして、時間帯区分に応じた所在頻度情報を記憶する複数の副メモリと、時間帯区分によらない所在頻度情報を記憶する主メモリとを有し、
主メモリは不揮発性メモリであり、副メモリは揮発性メモリである、空気調和機。
【請求項２】
制御部は、主メモリと副メモリを異なる更新間隔にて更新し、主メモリの更新間隔は、副メモリの更新間隔よりも長い、請求項１に記載の空気調和機。
【請求項３】
時間帯区分は、平日と休日の区分である、請求項１または２のいずれか１つに記載の空気調和機。
【請求項４】
時間帯区分は、曜日の区分である、請求項１から３のいずれか１つに記載の空気調和機。
【請求項５】
各メモリに記憶する所在頻度情報は、各領域の人感センサの累積反応回数である、請求項１から４のいずれかに記載の空気調和機。
【発明の詳細な説明】
【技術分野】
【０００１】
本発明は、室内機に設けられた人感センサにより人の在否を検知して運転を制御する運転を制御する空気調和機に関する。
【背景技術】
【０００２】
例えば特許文献１に開示されている空気調和機は、空調すべき領域を複数の領域に区分し、各領域において、人がいる頻度に応じて設定した領域特性と、人感センサの反応回数を所定回数累積した結果とに基づいて人の在否を判断し、空気調和機の運転を制御する。
【先行技術文献】
【特許文献】
【０００３】
【特許文献１】特開２００８−２２４１０８号公報
【発明の概要】
【発明が解決しようとする課題】
【０００４】
空気調和機において、より適切に運転を制御して快適性を向上させることが求められる。
【０００５】
本発明の目的は、より適切に運転を制御できる空気調和機を提供することにある。
【課題を解決するための手段】
【０００６】
本発明に係る空気調和機は、室内機に設けられた人感センサにより人の在否を検知して運転を制御する空気調和機であって、複数のメモリを含んだ記憶部を有する制御部を備える。制御部は、空調すべき領域を複数の領域に区分した領域ごとに、人感センサの反応結果に基づく人の所在頻度情報を算出し、所在頻度情報を時間帯区分によって記憶部の異なるメモリにそれぞれ記憶し、時間帯区分に応じた所在頻度情報を利用して風向を制御する。
【発明の効果】
【０００７】
本発明の空気調和機によれば、時間帯区分に応じた人の所在頻度情報を利用することで、時間帯区分を考慮しない場合と比べ、より適切に風向を制御でき、快適性が向上する。
【図面の簡単な説明】
【０００８】
【図１】空気調和機の室内機の（ａ）正面図、（ｂ）上部に設けられた人体検知装置のカバーを取り外した状態の正面図、（ｃ）側面図
【図２】前面パネルが全面開口部を開放した状態の図１（ｂ）の室内機の（ａ）斜視図、（ｂ）側面図
【図３】図１の室内機の縦断面図
【図４】室内機に設けられた人体検知装置により検知される領域区分の概略図
【図５】室内機に設けられた制御部および制御部に含まれた複数のメモリを有する記憶部の構成を示すブロック図
【図６】記憶部のメモリに所在頻度情報として累積反応回数を記憶する場合のメモリ更新手順を示すフローチャート
【図７】図４の各領域における人の在否レベルを判定する過程での記憶部の記憶内容を例示した概略図
【発明を実施するための形態】
【０００９】
第１の発明は、室内機に設けられた人感センサにより人の在否を検知して運転を制御する空気調和機であって、複数のメモリを含んだ記憶部を有する制御部を備え、制御部は、空調すべき領域を複数の領域に区分した領域ごとに、人感センサの反応結果に基づく人の所在頻度情報を算出し、所在頻度情報を時間帯区分によって記憶部の異なるメモリにそれぞれ記憶し、時間帯区分に応じた所在頻度情報を利用して風向を制御する、空気調和機である。
【００１０】
人の所在位置の傾向は、時間帯によって変化する場合があるところ、第１の発明によれば、時間帯区分に応じた人の所在頻度情報を利用することで、時間帯区分を考慮しない場合と比べ、より適切に風向を制御でき快適性が向上する。
【００１１】
第２の発明は、特に、第１の発明における記憶部において、複数のメモリとして、時間帯区分に応じた所在頻度情報を記憶する複数の副メモリと、時間帯区分によらない所在頻度情報を記憶する主メモリとを有する。
【００１２】
第２の発明によれば、記憶する情報によって別のメモリを使用することで、それぞれ適切な種類のメモリや更新間隔を選択することができる。
【００１３】
第３の発明は、特に、第２の発明における主メモリが不揮発性メモリであり、副メモリが揮発性メモリである。
【００１４】
第３の発明によれば、時間帯区分によらないデータ（記憶内容）を記憶する主メモリには、データの保持に電源を必要としない不揮発性メモリを用いることで、電源状態に関わらず持続的にデータを記憶できる。一方、時間帯区分によって時間帯別のデータを記憶する副メモリには、データの保持に通電を要するが、書き換え回数の制限や速度で有利な揮発性メモリを用いることで、一時的に利用する更新頻度が高いデータの記憶に適する。
【００１５】
第４の発明は、特に、第３の発明における制御部が、主メモリと副メモリを異なる更新間隔にて更新し、主メモリの更新間隔は、副メモリの更新間隔よりも長い。
【００１６】
主メモリの記憶内容は、時間帯区分によらないデータであり、短い間隔で大きく変化する内容ではないため、第４の発明によれば、主メモリの更新頻度を抑え、書き換え回数の制限や速度で不利な不揮発性メモリの特性に対応できる。一方で、時間帯区分によって時間帯別のデータを記憶する副メモリは、揮発性メモリの特性を利用して必要に応じてデータを書き換えることで、メモリ容量を抑えながら、直近のデータを反映して短期間の変化にも柔軟な風向制御を実現できる。
【００１７】
第５の発明は、特に、第１の発明から第４の発明のいずれか１つにおける時間帯区分が、平日と休日の区分である。
【００１８】
一般に平日と休日で生活パターンが異なる場合が多く、人の所在位置も異なる傾向を有するところ、第５の発明によれば、平日と休日に区分した人の所在頻度情報を利用することで、平日と休日で人の所在位置の傾向が変化しても、対応して風向を制御することが容易となる。
【００１９】
第６の発明は、特に、第１の発明から第４の発明のいずれか１つにおける時間帯区分が、曜日の区分である。
【００２０】
第６の発明によれば、平日と休日に限らず多様な生活パターンに対応するため、曜日で区分することで、曜日で変化する人の所在位置の傾向に柔軟に適合した風向調節が可能となる。
【００２１】
第７の発明は、特に、第１の発明から第６の発明のいずれか１つにおける各メモリに記憶する所在頻度情報が、各領域の人感センサの累積反応回数である。
【００２２】
第７の発明によれば、各領域での累積反応回数を記憶することで、累積反応回数に基づいて人感センサの反応割合を算出し、所定時間における直近の反応回数とともに風向制御に使用して、人の所在可能性が高い領域に風を向けることができ快適性が向上する。
【００２３】
以下、本発明に係る空気調和機の例示的な実施形態について、添付の図面を参照しながら説明する。本発明は、以下の実施形態の具体的な構成に限定されるものではなく、同様の技術的思想に基づく構成が本発明に含まれる。
【００２４】
（実施の形態）
一般家庭で使用される空気調和機は、通常、冷媒配管で互いに接続された室外機と室内機１とで構成されており、図１および図２は、本発明の実施の形態にかかる空気調和機の室内機１を示している。
【００２５】
室内機１は、本体２と、本体２の前面開口部２ａ（図２（ｂ））を開閉自在な可動前面パネル（以下、単に前面パネルという）４を有する。空気調和機の停止時は、前面パネル４は本体２に密着して前面開口部２ａを閉じているのに対し、空気調和機の運転時は、前面パネル４は本体２から離反する方向に移動して前面開口部２ａを開放する。なお、図１は前面パネル４が前面開口部２ａを閉じた状態を示しており、図２は前面パネル４が前面開口部２ａを開放した状態を示している。
【００２６】
図３に示されるように、本体２の内部には、熱交換器６と、前面開口部２ａ及び上面開口部２ｂと、ファン８と、吹出口１０と、上下羽根１２と、左右羽根（図示せず）と、中羽根１４と、中羽根駆動機構１６と、アーム１８，２０，２２，２４と、を備える。熱交換器６は、前面開口部２ａ及び上面開口部２ｂから取り入れられた室内空気を熱交換し、ファン８は、熱交換された空気を吹出口１０から室内に吹き出す。上下羽根１２は、吹出口１０を開閉するとともに空気の吹き出し方向を上下に変更する。左右羽根は、空気の吹き出し方向を左右に変更する。中羽根１４は、前面開口部２ａの下方の本体２に、中羽根駆動機構１６を介して揺動自在に取り付けられ、前面開口部２ａの吹出口１０側で開閉する。前面パネル４の上部は、その両端部に設けられた２本のアーム１８，２０を介して本体２の上部に連結されており、アーム１８に連結された駆動モータ（図示せず）を駆動制御することで、空気調和機の運転時に、前面パネル４は停止時の位置（前面開口部２ａの閉塞位置）から前方斜め上方に向かって移動する。また、上下羽根１２は、その両端部に設けられた２本のアーム２２，２４を介して本体２の下部に連結されている。
【００２７】
空気調和機は、左右羽根および上下羽根１２を駆動することによって風向を制御するが、本明細書では駆動方法については省略する。
【００２８】
図１（ｂ）及び（ｃ）に示されるように、前面パネル４の上部には、複数（例えば、５つ）のセンサユニット２６，２８，３０，３２，３４が前面パネル４の主平面から突出した状態で人体検知装置として取り付けられている。なお、人体検知装置は、図１（ａ）に示されるようにカバー５で覆われており、図１（ｂ）はカバー５を取り外した状態を示している。
【００２９】
センサユニット２６，２８，３０，３２，３４は、人感センサ（人体検知センサ）および回路基板を含む（図示せず）。人感センサは、例えば人体から放射される赤外線を検知することにより人の在否を検知する赤外線センサにより構成される。赤外線センサが検知する赤外線量の変化に応じて出力されるパルス信号に基づいて、回路基板により人の在否が判定される。
【００３０】
図４は、センサユニット２６，２８，３０，３２，３４により人の在否が検知される領域区分を示す。本実施形態では、空調すべき領域を近距離（Ｎ）、中距離（Ｍ）、および遠距離（Ｆ）領域に区分し、さらに中距離領域および遠距離領域をそれぞれ左（Ｌ）、右（Ｒ）、および中央（Ｃ）の領域に区分して、７つの領域（図４のＮ、ＬＭ、ＣＭ、ＲＭ、ＬＦ、ＣＦ、ＲＦ）において、人の在否を検知する。各センサユニットは、１つまたは複数の領域を検出できるように配置され、複数のセンサユニットの検出結果を組み合わせることで、各領域での人の在否を検知でき、センサユニットの数より多い領域区分で検知が可能である。
【００３１】
室内機１の本体２はさらに、制御部４０（図１〜図３に図示せず）を備える。図５は、制御部４０の構成を示す。
【００３２】
制御部４０は、空気調和機の運転を制御する要素である。制御部４０は、例えばＣＰＵ等を有するマイクロコントローラ（Ｍｉｃｒｏ−Ｃｏｎｔｒｏｌ  Ｕｎｉｔ）を含んで構成される。
【００３３】
図５に示すように、制御部４０は、記憶部５０を有する。記憶部５０は、空気調和機の各種運転情報を記憶する要素である。記憶部５０は、例えばＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）により実現される。
【００３４】
制御部４０は、記憶部５０とは別に内部メモリを有してもよく、例えば制御部４０が実行する様々なプログラムが記憶されるＲＯＭや、ＣＰＵの作業領域として機能するＲＡＭを内蔵してもよい。
【００３５】
本実施形態において、制御部４０は特に、センサユニット２６，２８，３０，３２，３４の検知結果に基づき、図４に示す領域ごとの人の所在頻度情報を算出する。本実施形態において、記憶部５０は特に、制御部４０のワークメモリやデータメモリとして機能し、制御部４０が算出した所在頻度情報を記憶部５０のメモリ６０〜６７に記憶する。所在頻度情報の算出および記憶について、詳細は後述する。
【００３６】
本実施形態では、記憶部５０は複数のメモリとして、主メモリ６０と、７つの副メモリ６１，６２，６３，６４，６５，６６，６７とを備える。
【００３７】
本実施形態において、主メモリ６０は、時間帯区分によらない所在頻度情報を記憶するメモリである。副メモリ６１〜６７は、時間帯区分に応じた所在頻度情報を記憶するメモリである。これにより、時間帯区分によらない所在頻度情報に加えて、時間帯区分に応じた所在頻度情報を風向制御に用いることができ、より適切な風向制御が可能となる。
【００３８】
本実施形態では、時間帯区分として曜日の区分を用いる。例えば、副メモリ６１は月曜日の所在頻度情報、副メモリ６２は火曜日の所在頻度情報、のように、７つの副メモリ６１〜６７は、各曜日に応じた所在頻度情報を記憶する。一方で、主メモリ６０は、全ての曜日において、曜日の区分によらず所在頻度情報を記憶する。
【００３９】
本実施形態では、主メモリ６０は不揮発性メモリ（例えばＥＥＰＲＯＭ）であり、副メモリ６１，６２，６３，６４，６５，６６，６７は揮発性メモリ（例えばＳＲＡＭやＤＲＡＭ）である。不揮発性メモリはデータの保持に電源を必要としないため、時間帯区分によらない所在頻度情報を記憶する主メモリ６０では、電源状態に関わらずデータを記憶できる。一方、揮発性メモリはデータの保持に通電を要するが、書き込み回数や速度の観点で有利であり、時間帯区分に応じた所在頻度情報を記憶する副メモリ６１〜６７では、一時的に利用する情報や更新頻度が高いデータの記憶に適する。
【００４０】
上述した構成を有する空気調和機の運転動作の例について、図６および図７を用いて以下説明する。
【００４１】
図６は、センサユニット２６，２８，３０，３２，３４を使用して、図４に示す各領域で人の在否を判定し、算出した所在頻度情報によってメモリ６０〜６７の記憶内容を更新する手順を示すフローチャートである。図６に示す各ステップは、制御部４０により実行する。
【００４２】
まず、図４に示す各領域において、所定の周期Ｔ（例えば３秒）で人の在否を判定する（Ｓ１）。具体的には、センサユニット２６，２８，３０，３２，３４の人感センサによる検出結果を組み合わせて、一時点における各領域での人の在否を周期的に判定する。周期Ｔは、任意の周期であってもよい。
【００４３】
次に、ステップＳ１を所定回数Ｍ回（例えば１０回）実行したかを判定する（Ｓ２）。ステップＳ２において、所定回数Ｍに達していない場合（Ｓ２でＮｏ）、再びＳ１に戻る。すなわち、センサユニット２６，２８，３０，３２，３４は、各領域で周期Ｔにおける反応結果（判定）として、反応有り、または反応無し、を出力し、これをＭ回繰り返す。一方、Ｓ１を所定回数Ｍ回実行したとき（Ｓ２でＹｅｓ）、ステップＳ３に移る。
【００４４】
ステップＳ２でＹｅｓのとき、各領域における人感センサによる反応回数のＭ回分の合計回数を「Ｍ回反応回数」として算出する（Ｓ３）。所定回数Ｍは、任意の所定回数であってもよい。
【００４５】
制御部４０はさらに、Ｓ３で算出したＭ回反応回数を、記憶部５０の一時メモリ（図５に図示せず）に初期値を０として記憶された累積反応回数に加算し、各領域における累積反応回数を算出する（Ｓ４）。
【００４６】
ステップＳ４で累積反応回数を算出した後、運転時の曜日を判定する（Ｓ５）。曜日の判定は、例えば記憶部５０に格納されたカレンダー情報をもとに行うことができ、また外部情報源から通信接続により取得された曜日情報を用いてもよい。
【００４７】
続いて、ステップＳ５の判定結果に応じて副メモリ６１〜６７のいずれかを更新する（Ｓ６）。ステップＳ５の判定結果が月曜日である場合、第１副メモリ６１に初期値を０として記憶されている累積反応回数に、ステップＳ３で算出したＭ回反応回数を加算する。ステップＳ５の判定結果が火曜日である場合、第２副メモリ６２に初期値を０として記憶されている累積反応回数に、ステップＳ３で算出したＭ回反応回数を加算する。ステップＳ５の判定結果が他の曜日である場合についても同様に、各曜日に対応する副メモリに記憶された累積反応回数を更新する。副メモリ６１〜６７を更新すると、ステップＳ３で算出したＭ回反応回数はリセットされる（Ｓ７）。
【００４８】
次に、所定の累積運転時間（例えば１２時間）が経過したかどうかを判定する（Ｓ８）。ステップＳ８において、所定時間が経過していないと判定されると（Ｓ８でＮｏ）、ステップＳ１に戻る。すなわち、所定時間が経過するまで、各領域における人の在否判定を所定回数（Ｍ回）行って、所定回数分の反応回数を算出し、曜日の判定結果によって、対応する副メモリ６１〜６７に記憶された曜日別の累積反応回数を更新する。
【００４９】
一方、所定時間が経過していると判定されると（Ｓ８でＹｅｓ）、ステップＳ９に進む。
【００５０】
ステップＳ９では、主メモリ６０に記憶されている累積反応回数に、ステップＳ４で算出した累積反応回数を加算する。主メモリ６０には、曜日の区分によらない累積反応回数（総累積反応回数）が記憶される。所定時間が１２時間のとき、運転累積１２時間ごとに主メモリ６０を更新する。所定時間はこれに限定されず、他のタイミングで主メモリを更新してもよい。主メモリ６０を更新すると、ステップＳ４で算出した累積反応回数はリセットされる（Ｓ１０）。
【００５１】
主メモリ６０には、上記の所定時間経過時に累積反応回数が書き込まれる他、空気調和機の製造工場における本体２のライン検査時や、ユーザによるリセット時には、累積反応回数の初期値が書き込まれる。
【００５２】
ステップＳ１０を実行後、ステップＳ１に戻り、Ｓ１〜Ｓ１０が繰り返し行われる。すなわち、各領域における人の在否判定の結果に基づき、副メモリ６１〜６７に記憶された曜日別の累積反応回数、および主メモリ６０に記憶された曜日によらない累積反応回数の更新が実行される。
【００５３】
本実施形態において、主メモリ６０と、副メモリ６１〜６７とは、異なる更新間隔で更新される。上述の例では、主メモリ６０は、所定の累積運転時間（例えば１２時間）ごとに更新され、副メモリ６１〜６７は、周期ＴをＭ回繰り返す（例えば３秒を１０回繰り返し３０秒）ごとに更新される。これにより、不揮発性メモリである主メモリ６０の更新頻度を抑える一方、揮発性メモリである副メモリ６１〜６７は、必要に応じて更新して、全体のメモリ容量は抑えながら直近の所在頻度情報を風向制御に利用できる。このように本実施形態によれば、読み書き速度や更新回数で不利な不揮発性メモリと、有利な揮発性メモリとのそれぞれの特性に対応したメモリ更新を実行できる。
【００５４】
次に、上述のように記憶した累積反応回数を含む所在頻度情報を利用して、風向を制御するための最終的な人の在否レベル判定を行う手順について、図７を参照しながら説明する。
【００５５】
図７は、図４の各領域における人の在否レベルを判定する過程で、記憶部の記憶内容を例示した概略図である。図７（ａ）は、現在の人の在否判定の結果を示す。図７（ａ）の×印は、センサユニット２６，２８，３０，３２，３４による反応があった領域を示し、図６のステップＳ１に対応する。図７（ｂ）は、直近の所定回数Ｍ回（例えば１０回）分の各領域における反応回数（Ｍ回反応回数）を示し、図６のステップＳ３に対応する。図７（ｃ）は、主メモリ６０または副メモリ６１〜６７に記憶された累積反応回数を示し、図６のステップＳ６またはＳ９に対応する。図７（ｄ）は、図７（ｃ）のような累積反応回数に基づいて各領域で人が検出される反応割合を３段階に区分し、生活区分Ｉ，ＩＩ，ＩＩＩとした結果を示す。図７（ｅ）は、各領域において、図７（ｂ）のような所定回数Ｍ回分の反応回数と、図７（ｄ）のような反応割合（生活区分）と、から算出した７段階の在否レベル（０〜６）を示す。
【００５６】
図７（ｄ）に例示される反応割合の区分（生活区分Ｉ，ＩＩ，ＩＩＩ）は、例えば全領域の累積反応回数の和に対して、各領域の累積反応回数が占める割合によって判別される。例えば、人感センサの反応割合が高い領域を生活区分Ｉ、人感センサの反応割合が中程度の領域を生活区分ＩＩ、人感センサの反応割合が低い領域を生活区分ＩＩＩと判別可能である。反応割合の算出は、上述の方法に限らず、別の方法によって行われてもよい。
【００５７】
反応割合の区分について、制御部４０は、まず、図７（ｃ）に示すような、主メモリ６０または副メモリ６１〜６７に記憶された累積反応回数を読み出す。次に、例えば全領域の累積反応回数の和に対して、各領域の累積反応回数の割合を算出し、予め設定された２つの閾値と比較して、図７（ｄ）に示すように、各領域で生活区分Ｉ，ＩＩ，ＩＩＩの３つの区分を判別する。
【００５８】
本実施形態において、生活区分Ｉ〜ＩＩＩを判別する際に、曜日に応じた副メモリ６１〜６７の累積反応回数が少ない間は、曜日によらない主メモリ６０の累積反応回数を用いる。副メモリ６１〜６７の累積反応回数が増えた後、例えば所定の運転累積時間が経過した後は、曜日に応じた副メモリ６１〜６７の累積反応回数を用いる。これにより、累積反応回数の記憶開始時から、人の所在頻度情報を用いた風向制御が可能であり、さらに運転を継続することで、曜日ごとの人の所在傾向に応じて、より適切な風向制御が可能となる。
【００５９】
図７（ｅ）に例示する在否レベルは、図７（ｂ）に例示される所定回数Ｍ回分の反応回数と、図７（ｄ）に例示され、上述のように判別した反応割合（生活区分Ｉ〜ＩＩＩ）と、を用いて判定される。在否レベルは、例えば０〜６の７段階で、値が大きいほど人の所在頻度が高いことを示す。在否レベルは例えば、各領域における所定回数Ｍ回分の反応回数に、対応する領域の反応割合に応じて予め設定した係数を乗じることで求められる。図７に示す例での反応割合（生活区分Ｉ〜ＩＩＩ）に応じた係数は、生活区分Ｉの係数が３、生活区分ＩＩの係数が１、生活区分ＩＩＩの係数が０である。
【００６０】
制御部４０は、所定の周期（例えば３分）ごとに、図７（ｅ）に示すような在否レベルを判定し、在否レベルに基づいて上下羽根１２および中羽根１４を駆動し、風向を制御する。具体的には例えば、在否レベルが高い領域ほど延べ風量が大きくなるように、風向を制御する。図７（ｅ）の例では、在否レベル２および在否レベル６の領域に向けて風向を制御するが、特に在否レベル６の領域に風がより向くような制御を行う。
【００６１】
このように、直近Ｍ回分の反応回数と、累積反応回数に基づく反応割合とを用いて在否レベルを判定することで、人の位置の変化に頑健な風向制御が可能となる。例えば、在否レベル６の領域に対しては、人感センサに反応がなくなっても、在否レベル６の判定がしばらく継続し、一時的な人の移動に伴う不必要な風向制御を回避できる。
【００６２】
図７（ｃ）に例示される累積反応回数について、図６のステップＳ６またはステップＳ９で説明したように、本実施形態において、曜日の区分に応じた累積反応回数が副メモリ６１〜６７に記憶され、曜日の区分によらない累積反応回数が主メモリ６０に記憶される。
【００６３】
累積反応回数以外の、図７（ｂ），図７（ｄ），図７（ｅ）に例示される所在頻度情報は、本実施形態において、主メモリ６０および副メモリ６１〜６７とは別に、例えば記憶部５０に設けられたＲＡＭ等の揮発性メモリ（図５に図示せず）に記憶される。これらの所在頻度情報は、運転制御のための一時的な情報として利用できればよく、運転制御を行う度に新しい情報を上書きしても問題ないためである。制御部４０が、記憶部５０の他に記憶領域を内蔵する場合、その記憶領域を用いてもよい。
【００６４】
上述した動作の例のように、制御部４０は、空調すべき領域を複数の領域に区分した領域ごとに、人感センサの反応結果に基づく人の所在頻度情報を算出する。算出した所在頻度情報は、時間帯区分によって記憶部５０の異なる副メモリ６１〜６７にそれぞれ記憶され、制御部４０は、時間帯区分に応じた所在頻度情報を利用して風向を制御する。
【００６５】
このように時間帯区分に応じた人の所在頻度情報を利用することで、人の所在位置の傾向が時間帯によって変化することに対応して、より適切に風向を制御でき、快適性が向上する。
【００６６】
以上、上述の実施の形態を挙げて本発明を説明したが、本発明は上述の形態に限定されない。例えば、実施の形態では、時間帯区分は曜日の区分であったが、このような場合に限らない。時間帯区分は、平日と休日との時間帯区分を用いてもよい。
【００６７】
一般に平日と休日とで、各領域における人の所在頻度は異なる場合が多い。平日と休日との区分によって異なるメモリに記憶した所在頻度情報を用いることで、区分によらずに記憶された所在頻度情報のみを用いる場合よりも早期に、所在頻度の変化に対応して風向を制御することができる。
【００６８】
また実施の形態では、曜日の区分に応じた各領域における人の所在頻度情報を本体２の記憶部５０に記憶していたが、このような場合に限られない。例えば当該所在頻度情報を本体２と通信可能に接続された外部サーバの保存領域に記憶してもよい。これにより、曜日ごとの各領域における所在頻度情報を空気調和機以外の家電においても当該外部サーバから取得し、例えば空気調和機と連携して動作させることで、快適性の向上を図ることができる。
【００６９】
本開示において、添付図面を参照しながら開示技術の好ましい実施の形態を説明したが、この技術の熟練した人々にとっては種々の変形や修正は明白である。そのような変形や修正は、添付した特許請求の範囲による本開示の範囲から外れない限りにおいて、その中に含まれると解されるべきである。また、各実施の形態における要素の組み合わせや順序の変化は、本開示の範囲および思想を逸脱することなく実現し得るものである。
【００７０】
なお、前記実施の形態および様々な変形例のうち、任意の実施の形態および変形例を適宜組み合わせることにより、それぞれの有する効果を奏するようにすることができる。
【産業上の利用可能性】
【００７１】
本発明は、人感センサを備える空気調和機に適用可能である。
【符号の説明】
【００７２】
１    室内機
２    本体
２ａ  前面開口部
２ｂ  上面開口部
４    可動前面パネル
５    カバー
６    熱交換器
８    ファン
１０  吹出口
１２  上下羽根
１４  中羽根
１６  中羽根駆動機構
１８，２０，２２，２４  アーム
２６，２８，３０，３２，３４  センサユニット
４０  制御部
５０  記憶部
６０  主メモリ
６１，６２，６３，６４，６５，６６，６７  副メモリ
【図１】
0006920643.tif 000002
【図２】
0006920643.tif 000003
【図３】
0006920643.tif 000004
【図４】
0006920643.tif 000005
【図５】
0006920643.tif 000006
【図６】
0006920643.tif 000007
【図７】
0006920643.tif 000008